(57)【要約】【課題】映像とグラフィックとを切替えて表示する場合に、画面切替え時に画面サイズが変化することを防止するために画面サイズを一致させる処理を行うと、画質が低下してしまう。【解決手段】復号部１１は、圧縮された映像データ１１１を復号して映像信号１１３を求め、グラフィックデータ処理部１２は、グラフィックデータ１１２に基づきグラフィック信号１１４を求める。サイズ変更部１３は、第１のモードでは、映像信号１１３に対してグラフィック画面のサイズに応じた画面サイズの変更処理を行い、第２のモードでは、映像信号１１３をそのまま出力する。信号切替え部１４は、第１のモードでは、映像信号１１５またはグラフィック信号１１４を選択的に、後者を優先して出力し、第２のモードでは、映像信号１１５を出力する。第１のモードでは、グラフィック画面がサイズ変換されずに表示されるので、文字などを鮮明に表示できる。【選択図】　　　　図１
2004117870.tif 000002
【特許請求の範囲】
【請求項１】
動作モードに応じて、映像とグラフィックとを表示デバイスに表示させる表示制御装置であって、
圧縮された映像データの供給を受け、前記映像データを復号して映像信号を求める復号手段と、
グラフィックデータの供給を受け、前記グラフィックデータに基づきグラフィック信号を求めるグラフィックデータ処理手段と、
第１の動作モードでは、前記復号手段で求めた映像信号に画面サイズの変更処理を行い、第２の動作モードでは、前記変更処理を行わずに前記復号手段で求めた映像信号を出力するサイズ変更手段と、
前記第１の動作モードでは、前記サイズ変更手段から出力された映像信号と前記グラフィックデータ処理手段で求めたグラフィック信号とに基づく所定の表示信号を表示デバイスに出力し、前記第２の動作モードでは、前記サイズ変更手段から出力された映像信号を前記表示デバイスに出力する表示信号出力手段とを備えた、表示制御装置。
【請求項２】
前記グラフィックデータ処理手段は、前記グラフィック信号のフレーム同期信号を出力し、
前記サイズ変更手段は、前記グラフィックデータ処理手段から出力されたフレーム同期信号に同期して、映像信号を出力することを特徴とする、請求項１に記載の表示制御装置。
【請求項３】
前記復号手段は、前記映像信号のフレーム同期信号を出力し、
前記グラフィックデータ処理手段は、前記復号手段から出力されたフレーム同期信号に同期して、グラフィック信号を出力することを特徴とする、請求項１に記載の表示制御装置。
【請求項４】
前記表示信号出力手段は、前記第１の動作モードでは、前記サイズ変更手段から出力された映像信号と前記グラフィックデータ処理手段で求めたグラフィック信号とを選択的に、かつ、前記グラフィックデータ処理手段で求めたグラフィック信号を優先して、前記表示信号として出力することを特徴とする、請求項１に記載の表示制御装置。
【請求項５】
前記表示信号出力手段は、前記第１の動作モードでは、前記サイズ変更手段から出力された映像信号と前記グラフィックデータ処理手段で求めたグラフィック信号とを所定の割合で合成した結果を、前記表示信号として出力することを特徴とする、請求項１に記載の表示制御装置。
【請求項６】
前記表示信号出力手段は、表示位置の指定を受け、前記第１の動作モードでは、前記グラフィックデータ処理手段で求めたグラフィック信号に基づく画面が前記表示デバイス上の指定された位置に表示されるように、前記グラフィックデータ処理手段で求めたグラフィック信号の出力タイミングを調整することを特徴とする、請求項１に記載の表示制御装置。
【請求項７】
前記サイズ変更手段は、前記第１の動作モードでは、前記グラフィックデータ処理手段で求めたグラフィック信号に基づく画面のサイズに応じて、前記復号手段で求めた映像信号に画面サイズの変更処理を行うことを特徴とする、請求項１に記載の表示制御装置。
【請求項８】
前記復号手段に供給される映像データは、ＭＰＥＧ２規格に準拠して圧縮されており、
前記復号手段は、前記映像データに対してＭＰＥＧ２規格に準拠した復号処理を行うことを特徴とする、請求項１に記載の表示制御装置。
【請求項９】
前記復号手段に供給される映像データは、水平解像度が１２８０画素、有効走査線数が７２０本、かつ、フレーム周波数が５９．９４Ｈｚである７５０Ｐ方式の映像信号を圧縮したデータであることを特徴とする、請求項１に記載の表示制御装置。
【請求項１０】
動作モードに応じて、映像とグラフィックとを表示する表示装置であって、
圧縮された映像データの供給を受け、前記映像データを復号して映像信号を求める復号手段と、
グラフィックデータの供給を受け、前記グラフィックデータに基づきグラフィック信号を求めるグラフィックデータ処理手段と、
第１の動作モードでは、前記復号手段で求めた映像信号に画面サイズの変更処理を行い、第２の動作モードでは、前記変更処理を行わずに前記復号手段で求めた映像信号を出力するサイズ変更手段と、
前記第１の動作モードでは、前記サイズ変更手段から出力された映像信号と前記グラフィックデータ処理手段で求めたグラフィック信号とに基づく所定の表示信号を出力し、前記第２の動作モードでは、前記サイズ変更手段から出力された映像信号を出力する表示信号出力手段と、
個々に状態を制御できる複数の画素を有し、前記表示信号出力手段から出力された表示信号に基づき画面表示を行う表示デバイスとを備えた、表示装置。
【発明の詳細な説明】
【０００１】
【発明の属する技術分野】
本発明は、映像とグラフィックとを表示デバイスに表示させる表示制御装置に関し、より特定的には、プラズマディスプレイパネル（Ｐｌａｓｍａ　Ｄｉｓｐｌａｙ　Ｐａｎｅｌ；以下、ＰＤＰという）や液晶表示パネルなどの表示デバイスに、動作モードに応じて映像とグラフィックとを表示させる表示制御装置に関する。
【０００２】
【従来の技術】
近年、ＰＤＰや液晶表示パネルなどの表示デバイスの高画質化および低価格化が進行している。このような表示デバイスをパーソナルコンピュータなどと組合わせることにより、各種の情報を提供できるプレゼンテーションシステムを構築することができる。プレゼンテーションシステムは、主に動画像を表示する画面（以下、映像画面という）と、主に文字や図形を表示する画面（以下、グラフィック画面という）とを切替えて、表示デバイスに表示させる。
【０００３】
図１０は、プレゼンテーションシステムに使用される、従来の表示制御装置の構成を示すブロック図である。図１０において、表示制御装置８０は、例えばパーソナルコンピュータ（図示せず）に内蔵された表示制御回路である。表示制御装置８０は、復号部８１およびグラフィックデータ処理部８２を備えている。復号部８１は、内部バス６１を経由して圧縮された映像データ１１１を受け取り、映像データ１１１を復号して映像信号１８３を求める。グラフィックデータ処理部８２は、内部バス６１を経由してグラフィックデータ１１２を受け取り、グラフィックデータ１１２に基づきグラフィック信号１８４を求める。
【０００４】
表示デバイス９０としては、例えば、ＰＤＰが使用される。ＰＤＰは、高輝度かつ大画面という、表示デバイス９０に適した特徴を有している。表示デバイス９０は、複数の（図１０では２本）映像入力端子と、有効な映像入力端子を切替えるための制御端子とを有している。２本の映像入力端子には、映像信号１８３とグラフィック信号１８４とがそれぞれ入力され、制御端子には、表示制御装置８０から出力されたモード切替え信号１１０が入力される。表示デバイス９０は、モード切替え信号１１０に応じて、映像信号１８３またはグラフィック信号１８４のいずれかに基づき画面表示を行う。
【０００５】
プレゼンテーションシステムは、表示制御装置８０を用いて、各種の情報を表示デバイス９０に表示させる。この際、映像画面とグラフィック画面とを適宜切替えて表示させることにより、プレゼンテーション効果を高めることができる。このようなプレゼンテーションシステムは、例えば店頭に設置され、店舗で販売されている商品に関する情報を提供するなどの用途に使用される。
【０００６】
以上のことから、このようなプレゼンテーションシステムで使用される表示制御装置には、映像画面では動画像を高画質に表示させ、かつ、グラフィック画面では文字や図形を高画質に表示させる制御を行うことが必要とされる。特に、グラフィック画面では、説明用の文字などを鮮明に表示させる制御を行うことが、実用上重要である。
【０００７】
なお、映像画面とグラフィック画面との合成表示については、パーソナルコンピュータと記録再生装置とをオーバレイ再走査ボードで相互に接続した画像データ処理装置も知られている（特許文献１）。オーバレイ再走査ボードは、各種のビデオ信号を受け、これらを要求に応じて各種のビデオ信号の形で出力する信号交換および合成機能を有する。
【０００８】
【特許文献１】
特開平５−２１６４６３号公報（段落番号２７−３０、図１）
【０００９】
【発明が解決しようとする課題】
しかしながら、図１０に示す従来の表示制御装置には、次のような問題がある。従来の表示制御装置では、映像画面とグラフィック画面とで縦および横方向の画素数が一致しないため、画面を切替えたときに、画面サイズが変化するという問題がある。また、画面サイズが変化することを防止するために、画面切替えの前段で画面サイズを一致させる処理を行うと、切替え前の画面または切替え後の画面の画質が低下するという問題が生じる。さらに、映像信号の同期信号とグラフィック信号の同期信号とが同期していないので、画面切替え時に同期が一時的に失われ、画面切替えに時間がかかるという問題がある。
【００１０】
それ故に、本発明は、映像とグラフィックとを高画質かつ効果的に表示させる表示制御装置を提供することを目的とする。
【００１１】
【課題を解決するための手段および発明の効果】
第１の発明は、動作モードに応じて、映像とグラフィックとを表示デバイスに表示させる表示制御装置であって、
圧縮された映像データの供給を受け、映像データを復号して映像信号を求める復号手段と、
グラフィックデータの供給を受け、グラフィックデータに基づきグラフィック信号を求めるグラフィックデータ処理手段と、
第１の動作モードでは、復号手段で求めた映像信号に画面サイズの変更処理を行い、第２の動作モードでは、変更処理を行わずに復号手段で求めた映像信号を出力するサイズ変更手段と、
第１の動作モードでは、サイズ変更手段から出力された映像信号とグラフィックデータ処理手段で求めたグラフィック信号とに基づく所定の表示信号を表示デバイスに出力し、第２の動作モードでは、サイズ変更手段から出力された映像信号を表示デバイスに出力する表示信号出力手段とを備える。
このような第１の発明によれば、第１の動作モードでは、映像信号に対して画面サイズの変更処理が行われ、サイズ変更された映像信号とグラフィック信号とに基づく所定の表示信号が出力される。第２の動作モードでは、画面サイズの変更処理は行われず、元のサイズの映像画面に対応した映像信号が出力される。これにより、表示デバイスには、第１の動作モードでは、サイズ変更された映像画面と元のサイズのグラフィック画面とが表示され、第２の動作モードでは、元のサイズの映像画面が表示される。したがって、動作モードに応じて映像とグラフィックとを高画質に表示させることができる。
【００１２】
第２の発明は、第１の発明において、グラフィックデータ処理手段は、グラフィック信号のフレーム同期信号を出力し、
サイズ変更手段は、グラフィックデータ処理手段から出力されたフレーム同期信号に同期して、映像信号を出力することを特徴とする。
このような第２の発明によれば、グラフィック信号のフレーム同期信号に同期して映像信号を出力することにより、映像信号とグラフィック信号との間でフレーム同期のタイミングを一致させる。これにより、映像画面とグラフィック画面とを切替えるときに同期が一時的に失われることを防止し、画面の切替えを瞬時に行うことができる。
【００１３】
第３の発明は、第１の発明において、復号手段は、映像信号のフレーム同期信号を出力し、
グラフィックデータ処理手段は、復号手段から出力されたフレーム同期信号に同期して、グラフィック信号を出力することを特徴とする。
このような第３の発明によれば、映像信号のフレーム同期信号に同期してグラフィック信号を出力することにより、映像信号とグラフィック信号との間でフレーム同期のタイミングを一致させる。これにより、映像画面とグラフィック画面とを切替えるときに同期が一時的に失われることを防止し、画面の切替えを瞬時に行うことができる。
【００１４】
第４の発明は、第１の発明において、表示信号出力手段は、第１の動作モードでは、サイズ変更手段から出力された映像信号とグラフィックデータ処理手段で求めたグラフィック信号とを選択的に、かつ、グラフィックデータ処理手段で求めたグラフィック信号を優先して、表示信号として出力することを特徴とする。このような第４の発明によれば、第１の動作モードでは、表示デバイスに、映像画面の上にグラフィック画面を重ねて表示させることができる。
【００１５】
第５の発明は、第１の発明において、表示信号出力手段は、第１の動作モードでは、サイズ変更手段から出力された映像信号とグラフィックデータ処理手段で求めたグラフィック信号とを所定の割合で合成した結果を、表示信号として出力することを特徴とする。
このような第５の発明によれば、第１の動作モードでは、表示デバイスには、映像画面とグラフィック画面とを所定の割合で合成した画面が表示される。したがって、２つの画面を合成する際の割合を適宜変化させて、多様な表示を行わせることができる。
【００１６】
第６の発明は、第１の発明において、表示信号出力手段は、表示位置の指定を受け、第１の動作モードでは、グラフィックデータ処理手段で求めたグラフィック信号に基づく画面が表示デバイス上の指定された位置に表示されるように、グラフィックデータ処理手段で求めたグラフィック信号の出力タイミングを調整することを特徴とする。
このような第６の発明によれば、第１の動作モードでは、グラフィック画面は、表示位置として指定された位置に表示される。したがって、グラフィック画面を所望の位置に表示させて、多様な表示を行わせることができる。
【００１７】
第７の発明は、第１の発明において、サイズ変更手段は、第１の動作モードでは、グラフィックデータ処理手段で求めたグラフィック信号に基づく画面のサイズに応じて、復号手段で求めた映像信号に画面サイズの変更処理を行うことを特徴とする。
このような第７の発明によれば、第１の動作モードでは、映像画面のサイズは、グラフィック画面のサイズに応じて変更される。これにより、グラフィック画面を高画質に表示させたまま、表示画面の見栄えを悪くする非表示領域を消滅させることができる。
【００１８】
第８の発明は、第１の発明において、復号手段に供給される映像データは、ＭＰＥＧ２規格に準拠して圧縮されており、
復号手段は、映像データに対してＭＰＥＧ２規格に準拠した復号処理を行うことを特徴とする。
このような第８の発明によれば、広く知られた画像圧縮方法であるＭＰＥＧ２規格を用いることにより、表示制御装置を容易に構成することができる。
【００１９】
第９の発明は、第１の発明において、復号手段に供給される映像データは、水平解像度が１２８０画素、有効走査線数が７２０本、かつ、フレーム周波数が５９．９４Ｈｚである７５０Ｐ方式の映像信号を圧縮したデータであることを特徴とする。
【００２０】
第１０の発明は、動作モードに応じて、映像とグラフィックとを表示する表示装置であって、
圧縮された映像データの供給を受け、映像データを復号して映像信号を求める復号手段と、
グラフィックデータの供給を受け、グラフィックデータに基づきグラフィック信号を求めるグラフィックデータ処理手段と、
第１の動作モードでは、復号手段で求めた映像信号に画面サイズの変更処理を行い、第２の動作モードでは、変更処理を行わずに復号手段で求めた映像信号を出力するサイズ変更手段と、
第１の動作モードでは、サイズ変更手段から出力された映像信号とグラフィックデータ処理手段で求めたグラフィック信号とに基づく所定の表示信号を出力し、第２の動作モードでは、サイズ変更手段から出力された映像信号を出力する表示信号出力手段と、
個々に状態を制御できる複数の画素を有し、表示信号出力手段から出力された表示信号に基づき画面表示を行う表示デバイスとを備える。
このような第１０の発明によれば、第１の動作モードでは、映像信号に対して画面サイズの変更処理が行われ、サイズ変更された映像信号とグラフィック信号とに基づく所定の表示信号が出力される。第２の動作モードでは、画面サイズの変更処理は行われず、元のサイズの映像画面に対応した映像信号が出力される。これにより、表示デバイスには、第１の動作モードでは、サイズ変更された映像画面と元のサイズのグラフィック画面とが表示され、第２の動作モードでは、元のサイズの映像画面が表示される。したがって、動作モードに応じて映像とグラフィックを高画質に表示させる表示装置を提供することができる。
【００２１】
【発明の実施の形態】
（第１の実施形態）
図１は、本発明の第１の実施形態に係る表示制御装置の構成を示すブロック図である。本実施形態に係る表示制御装置１０は、図１に示すように、復号部１１、グラフィックデータ処理部１２、サイズ変更部１３、および、信号切替え部１４を備えている。表示制御装置１０は、例えばパーソナルコンピュータ（図示せず）に内蔵された表示制御回路である。表示制御装置１０は、表示デバイス５０とともに表示装置１を構成し、プレゼンテーションシステムの一部として使用される。表示デバイス５０としては、例えば、プラズマディスプレイパネル（ＰＤＰ）が使用される。
【００２２】
表示制御装置１０は、パーソナルコンピュータの内部バス６１（例えば、ＰＣＩ（Ｐｅｒｉｐｈｅｒａｌ　Ｃｏｍｐｏｎｅｎｔ　Ｉｎｔｅｒｃｏｎｎｅｃｔ　）バス）に接続される。内部バス６１には、ＣＰＵ６２、メモリ６３、ハードディスク６４、ＤＶＤ６５などが接続される。表示制御装置１０には、これらの構成要素から内部バス６１を経由して、映像データ１１１、グラフィックデータ１１２、および、モード切替え信号１１０が供給される。映像データ１１１は復号部１１に、グラフィックデータ１１２はグラフィックデータ処理部１２に、モード切替え信号１１０はサイズ変更部１３および信号切替え部１４に、それぞれ入力される。
【００２３】
表示制御装置１０は、映像モードおよびグラフィックモードの２とおりに変化する動作モードに応じて、次のように動作する。すなわち、表示制御装置１０は、映像モードでは、表示デバイス５０に映像画面（主に動画像を表示する画面）のみを表示させ、グラフィックモードでは、表示デバイス９０に映像画面の上にグラフィック画面（主に文字や図形を表示する画面）を重ねて表示させる。モード切替え信号１１０は、表示制御装置１０の動作モードを切替えるために、表示制御装置１０の外部から供給される制御信号である。
【００２４】
映像データ１１１は、映像信号を所定の方法で圧縮したデータである。映像データ１１１は、例えば、映像信号をＭＰＥＧ２規格に準拠して圧縮したデータであってもよい。また、映像データ１１１は、水平解像度が１２８０画素、有効走査線数が７２０本、かつ、フレーム周波数が５９．９４Ｈｚである７５０Ｐ方式（走査線数が７５０本、走査方式がプログレッシブ方式）の映像信号を、ＭＰＥＧ２規格に準拠して圧縮したデータであってもよい。なお、７５０Ｐ方式の映像信号は、ＡＲＩＢ（Ａｓｓｏｃｉａｔｉｏｎ　ｏｆ　Ｒａｄｉｏ　Ｉｎｄｕｓｔｒｉｅｓ　ａｎｄ　Ｂｕｓｉｎｅｓｓｅｓ：社団法人電波産業会）やＳＭＰＴＥ（Ｓｏｃｉｅｔｙ　ｏｆ　Ｍｏｔｉｏｎ　Ｐｉｃｔｕｒｅ　ａｎｄ　Ｔｅｌｅｖｉｓｉｏｎ　Ｅｎｇｉｎｅｅｒｓ：全米映画テレビジョン技術者協会）などで規格化されている。
【００２５】
復号部１１は、映像データ１１１を所定の方法で復号し、映像信号１１３を求める。例えば、映像データ１１１がＭＰＥＧ２規格に準拠して圧縮されている場合、復号部１１は、ＭＰＥＧ２規格に準拠した復号処理を行う。復号部１１で求めた映像信号１１３は、サイズ変更部１３に入力される。
【００２６】
グラフィックデータ１１２は、グラフィック処理を行うためのコマンド群である。グラフィックデータ１１２には、例えば、文字や図形などを表示させるコマンドや、文字や図形などの属性を設定するコマンドなどが含まれている。グラフィックデータ１１２は、ＣＰＵ６２が所定のプログラム（例えば、プレゼンテーションを行うためのアプリケーションプログラム）を実行することなどにより生成される。
【００２７】
グラフィックデータ処理部１２は、グラフィックデータ１１２に基づき、グラフィック画面に対応したグラフィック信号１１４を求める。より詳細には、グラフィックデータ処理部１２は、フレームメモリを有しており、グラフィックデータ１１２を解釈して文字や図形などをフレームメモリに書き込むとともに、フレームメモリを所定の順序で読み出すことにより、グラフィック信号１１４を出力する。グラフィックデータ処理部１２で求めたグラフィック信号１１４は、信号切替え部１４の第２のデータ入力端子に入力される。
【００２８】
サイズ変更部１３は、モード切替え信号１１０に応じて、復号部１１で求めた映像信号１１３に対して、画面サイズの変更処理（すなわち、画面の拡大縮小処理）を行う。より詳細には、モード切替え信号１１０が映像モードを示す場合には、サイズ変更部１３は、画面サイズの変更処理を行うことなく、復号部１１で求めた映像信号１１３をそのまま出力する。これに対して、モード切替え信号１１０がグラフィックモードを示す場合には、サイズ変更部１３は、復号部１１で求めた映像信号１１３に画面サイズの変更処理を行う。サイズ変更部１３から出力された映像信号１１５は、信号切替え部１４の第１のデータ入力端子に入力される。
【００２９】
信号切替え部１４は、モード切替え信号１１０に応じて、映像信号１１５およびグラフィック信号１１４に基づき表示信号１１６を求め、求めた表示信号１１６を表示デバイス５０に出力する。より詳細には、モード切替え信号１１０が映像モードを示す場合には、信号切替え部１４は、映像信号１１５をそのまま表示信号１１６として出力する。これに対して、モード切替え信号１１０がグラフィックモードを示す場合には、信号切替え部１４は、映像信号１１５およびグラフィック信号１１４を選択的に、かつ、グラフィック信号１１４を優先して、表示信号１１６として出力する。すなわち、信号切替え部１４は、グラフィック信号１１４が有効であるときにはグラフィック信号１１４を出力し、グラフィック信号１１４が有効でなく、かつ、映像信号１１５が有効であるときには、映像信号１１５を出力する。
【００３０】
表示デバイス５０は、表示制御装置１０の信号切替え部１４から出力された表示信号１１６に基づき、画面表示を行う。表示デバイス５０は、いかなる種類のものでもよい。例えば、表示デバイス５０は、ディジタルの表示信号１１６に基づき画面表示を行うものでもよく、アナログの表示信号１１６に基づき画面表示を行うものでもよい。前者の場合には、表示デバイス５０がＤ／Ａ変換機能を有し、後者の場合には、信号切替え部１４がＤ／Ａ変換機能を有する必要がある。
【００３１】
また、表示デバイス５０として、上述したＰＤＰに代えて、液晶表示パネルなどを使用してもよい。ＰＤＰや液晶表示パネルなどは、個々に状態を制御できる複数の画素を有し、高精細な表示を行えるという特徴を有する。したがって、このような特徴を有するデバイスを表示デバイス５０として使用した場合には、後述する表示制御装置１０の効果がより顕著になる。
【００３２】
次に、サイズ変更部１３の詳細を説明する。サイズ変更部１３は、図１に示すように、画素数変換部１５とフレーム同期調整部１６とを含んでいる。画素数変換部１５は、モード切替え信号１１０が映像モードを示す場合には、映像信号１１３をそのまま出力する。これに対して、モード切替え信号１１０がグラフィックモードを示す場合には、画素数変換部１５は、映像信号１１３に対して、画面の縦および／または横方向に所定の補間処理を行う。
【００３３】
この場合、画素数変換部１５は、映像信号１１３に対して、グラフィック画面のサイズに応じた補間処理を行う。例えば、画素数変換部１５は、映像画面の縦方向のサイズがグラフィック画面の縦方向のサイズより小さい場合には、映像信号１１３に対して、画面の縦方向のサイズをグラフィック画面の縦方向のサイズに一致させる補間処理（画面の縦方向の拡大処理）を行う。また、画素数変換部１５は、映像画面の横方向のサイズがグラフィック画面の横方向のサイズより小さい場合には、映像信号１１３に対して、画面の横方向のサイズをグラフィック画面の横方向のサイズに一致させる補間処理（画面の横方向の拡大処理）を行う。なお、縦方向の補間処理と横方向の補間処理とで使用する倍率が異なる場合には、画素数変換部１５は、縦方向と横方向とで異なる倍率を使用して補間処理を行ってもよく、いずれかの倍率を選択した上で、同じ倍率を使用して補間処理を行ってもよい。
【００３４】
画素数変換部１５から出力された映像信号は、フレーム同期調整部１６に入力される。フレーム同期調整部１６には、この映像信号に加えて、グラフィックデータ処理部１２から出力された、グラフィック信号１１４のフレーム同期信号１１７が入力される。フレーム同期調整部１６は、画素数変換部１５から出力された映像信号を格納するためのバッファ（図示せず）を有しており、バッファを用いることにより、フレーム同期信号１１７に同期して、画素数変換部１５から出力された映像信号を出力する。このようなフレーム同期調整部１６の作用により、信号切替え部１４に入力される２系統の信号（映像信号１１５とグラフィック信号１１４）では、フレーム同期のタイミングが一致する。
【００３５】
以上のことから、表示制御装置１０は、動作モードに応じて、次のように映像とグラフィックとを表示デバイス５０に表示させる。すなわち、動作モードが映像モードである場合には、サイズ変更部１３は、画面サイズの変更処理を行わずに映像信号１１３をそのまま出力し、信号切替え部１４は、映像信号１１５（すなわち、映像信号１１３と同じ信号）を表示デバイス５０に出力する。これにより、表示デバイス５０には、映像信号１１３に基づく映像画面のみが表示される。また、動作モードがグラフィックモードである場合には、サイズ変更部１３は、映像信号１１３に対して画面サイズの変更処理を行い、信号切替え部１４は、サイズ変更された映像信号１１５とグラフィック信号１１４とを選択的に、かつ、グラフィック信号１１４を優先して表示デバイス５０に出力する。これにより、表示デバイス５０には、映像画面の上に、グラフィック信号１１４に基づくグラフィック画面が重ねて表示される。
【００３６】
図２および図３を参照して、表示制御装置１０を用いた場合に表示デバイス５０に表示される画面の具体例を説明する。以下では、表示デバイス５０としてＰＤＰを用いることとし、映像データ１１１は７５０Ｐ方式の映像信号を圧縮したデータであるとする。７５０Ｐ方式の映像信号に基づく映像画面のサイズは、図２（ｂ）に実線で示すように、１２８０×７２０画素である。画面サイズを変更せずにこの映像画面を表示できるＰＤＰとして、図２（ａ）に示すように、１３６６×７６８画素の表示領域を有するＰＤＰを使用することができる。また、グラフィック画面の形式として、ＶＧＡ（６４０×４８０画素）、ＳＶＧＡ（８００×６００画素）、ＸＧＡ（１０２４×７６８画素）などが、一般に使用されている。ここでは、画面サイズを変更せずに上記ＰＤＰに表示できるグラフィック画面のうちで画面サイズが最も大きい、ＸＧＡを使用することとする。ＸＧＡ形式のグラフィック画面のサイズは、図２（ｃ）に実線で示したようになる。なお、図２（ｂ）および図２（ｃ）に破線で示した領域は、上記ＰＤＰの表示領域のサイズを示したものである。
【００３７】
図３は、表示制御装置１０を用いた場合に表示デバイス５０に表示される画面の構成を示す図である。動作モードが映像モードである場合には、表示制御装置１０は、画面サイズを変更せずに、映像信号１１３を表示デバイス５０にそのまま出力する。したがって、表示デバイス５０には、図３（ａ）に示すように、映像信号１１３に基づく映像画面が、元のサイズ（この例では１２８０×７２０画素）で表示される。なお、表示領域のうち映像画面が表示されない部分は、黒色などの背景色で表示される。
【００３８】
動作モードがグラフィックモードである場合には、表示制御装置１０は、サイズ変更された映像信号１１５とグラフィック信号１１４とを選択的に、かつ、グラフィック信号１１４を優先して表示デバイス５０に出力する。したがって、表示デバイス５０には、図３（ｂ）に示すように、サイズ変更された映像信号１１５に基づく映像画面の上に、グラフィック信号１１４に基づくグラフィック画面が、元のサイズで（この例では１０２４×７６８画素）重ねて表示される。なお、表示領域のうち映像画面もグラフィック画面も表示されない部分は、黒色などの背景色で表示される。
【００３９】
この例では、映像画面の縦方向のサイズ（７２０画素）がグラフィック画面の縦方向のサイズ（７６８画素）より小さいので、サイズ変更部１３は、映像信号１１３に対して、画面の縦方向のサイズを７２０画素から７６８画素に変換する補間処理を行う。このため、映像信号１１５に基づく映像画面のサイズは、１２８０×７６８画素となる。したがって、表示デバイス５０には、映像画面とグラフィック画面とが、同じ縦方向のサイズで表示される。
【００４０】
図４を参照して、サイズ変更部１３による画面サイズの変更処理の効果を説明する。表示制御装置が画面サイズの変更処理を行わない場合、映像画面のサイズは、１２８０×７２０画素のままである。一方、グラフィック画面のサイズは、１０２４×７６８画素である。表示デバイス５０にこれら２つの画面を重ねて表示した場合、図４に示すように、グラフィック画面の一部が映像画面から縦方向にはみ出して表示され、表示デバイス５０には、４つの非表示領域（映像画面もグラフィック画面も表示されない部分；図４で斜線を付した部分）が現れる。非表示領域を背景色で表示しても、利用者には非表示領域が目立つように感じられる。このため、表示制御装置が画面サイズの変更処理を行わない場合には、プレゼンテーションシステムの表示画面の見栄えが悪くなる。
【００４１】
図４に示す非表示領域を消滅させるためには、上述したように、サイズ変更部１３が、映像信号１１３に対して、画面の縦方向のサイズを７２０画素から７６８画素に変換する補間処理を行えばよい。これにより、表示デバイス５０には、図３（ｂ）に示す画面が表示される。図３（ｂ）と図４とを対比すれば明らかなように、サイズ変更部１３で画面サイズの変更処理を行うことにより、表示画面から非表示領域を消滅させ、プレゼンテーションシステムの表示画面の見栄えを良くすることができる。
【００４２】
なお、サイズ変更部１３で画面サイズの変更処理を行った場合、サイズ変更後の映像画面が表示デバイス５０の表示領域より大きくなり、その一部が表示されなくなる場合がある。しかし、画面サイズの変更処理が行われるのはグラフィックモードである場合に限られ、グラフィックモードではグラフィック画面を中心とした画面表示が行われる。したがって、画面サイズの変更処理に伴って映像画面の一部が表示されないこととなっても、そのことがプレゼンテーションシステムの表示画面に与える影響は、実質的にわずかである。
【００４３】
以上に示すように、本実施形態に係る表示制御装置によれば、グラフィックモードでは、映像信号に対して画面サイズの変更処理が行われ、サイズ変更された映像信号とグラフィック信号とが選択的に、かつ、グラフィック信号が優先して出力される。映像モードでは、画面サイズの変更処理は行われず、元のサイズの映像画面に対応した映像信号が出力される。これにより、表示デバイスには、グラフィックモードでは、映像画面の上に元のサイズのグラフィック画面が重ねて表示され、映像モードでは、元のサイズの映像画面が表示される。したがって、動作モードに応じて映像とグラフィックとを高画質に表示させることができる。
【００４４】
また、フレーム同期調整部の作用により、映像信号とグラフィック信号との間でフレーム同期のタイミングが一致するので、映像画面とグラフィック画面とを切替えるときに同期が一時的に失われることがなく、画面の切替えを瞬時に行うことができる。また、サイズ変更部は、グラフィックモードでは、グラフィック画面のサイズに応じて映像画面のサイズを変更するので、グラフィック画面を高画質に表示させたまま、表示画面の見栄えを悪くする非表示領域を消滅させることができる。
【００４５】
（第２の実施形態）
図５は、本発明の第２の実施形態に係る表示制御装置の構成を示すブロック図である。本実施形態に係る表示制御装置２０は、図５に示すように、復号部１１、グラフィックデータ処理部２２、サイズ変更部２３、および、信号切替え部１４を備えている。表示制御装置２０は、第１の実施形態と同様に、例えばパーソナルコンピュータに内蔵された表示制御回路であり、表示デバイス５０とともに表示装置２を構成する。本実施形態の構成要素のうち、第１の実施形態と同一の構成要素については、同一の参照符号を付して、説明を省略する。
【００４６】
サイズ変更部２３は、図５に示すように、画素数変換部１５を含んでいる。しかし、サイズ変更部２３は、グラフィック信号のフレーム同期信号に同期して、画素数変換部１５から出力された映像信号を出力する機構を備えていない。したがって、サイズ変更部２３からは、モード切替え信号１１０に応じて画面サイズの変更処理が行われた結果として、映像信号１１５が任意のタイミングで出力される。
【００４７】
グラフィックデータ処理部２２は、第１の実施形態と同様に、グラフィックデータ１１２に基づき、グラフィック画面に対応したグラフィック信号１２４を求める。グラフィックデータ処理部２２には、グラフィックデータ１１２に加えて、サイズ変更部２３の画素数変換部１５から出力された、映像信号１２５のフレーム同期信号１２７が入力される。グラフィックデータ処理部２２は、求めたグラフィック信号を格納するためのバッファ（図示せず）を有しており、バッファを用いることにより、フレーム同期信号１２７に同期してグラフィック信号１２４を出力する。このようなグラフィックデータ処理部２２の作用により、信号切替え部１４に入力される２系統の信号（映像信号１２５とグラフィック信号１２４）では、フレーム同期のタイミングが一致する。
【００４８】
信号切替え部１４は、第１の実施形態と同様に、モード切替え信号１１０が映像モードを示す場合には、映像信号１２５をそのまま出力し、モード切替え信号１１０がグラフィックモードを示す場合には、映像信号１２５およびグラフィック信号１２４を選択的に、かつ、グラフィック信号１２４を優先して出力する。表示デバイス５０は、信号切替え部１４から出力された表示信号１２６に基づき画面表示を行う。
【００４９】
以上に示すように、本実施形態に係る表示制御装置によれば、グラフィックデータ処理部の作用により、映像信号とグラフィック信号との間でフレーム同期のタイミングが一致する。この表示制御装置は、第１の実施形態に係る表示制御装置と同様の効果を奏する。
【００５０】
（第３の実施形態）
図６は、本発明の第３の実施形態に係る表示制御装置の構成を示すブロック図である。本実施形態に係る表示制御装置３０は、図６に示すように、復号部１１、グラフィックデータ処理部１２、サイズ変更部１３、および、信号合成部３４を備えている。表示制御装置３０は、第１の実施形態と同様に、例えばパーソナルコンピュータに内蔵された表示制御回路であり、表示デバイス５０とともに表示装置３を構成する。表示制御装置３０は、第１の実施形態に係る表示制御装置１０と比較して、信号切替え部１４を信号合成部３４に置換した構成を有している。本実施形態の構成要素のうち、第１の実施形態と同一の構成要素については、同一の参照符号を付して、説明を省略する。
【００５１】
表示制御装置３０には、第１の実施形態と同様に、内部バス６１を経由して、映像データ１１１、グラフィックデータ１１２、および、モード切替え信号１１０が供給される。また、表示制御装置３０には、これらのデータおよび信号に加えて、内部バス６１を経由して、重み付け信号１３０が供給される。重み付け信号１３０は、グラフィックモードにおいて映像信号とグラフィック信号とを合成する際の割合を指定するために、表示制御装置３０の外部から供給される制御信号である。重み付け信号１３０は、画面の各フレームごとに供給されることとしてもよい。以下、重み付け信号１３０の値をＭ（ただし、Ｍは０以上１以下の数）とする。
【００５２】
信号合成部３４は、図６に示すように、係数生成部３５、第１の乗算器３６、第２の乗算器３７、および、加算器３８を含んでいる。係数生成部３５には、モード切替え信号１１０と重み付け信号１３０とが入力される。係数生成部３５は、モード切替え信号１１０に応じて、２つの係数値を生成する。より詳細には、係数生成部３５は、モード切替え信号１１０が映像モードを示すときには、第１の係数値を１とし、第２の係数値を０とする。また、モード切替え信号１１０がグラフィックモードを示し、かつ、グラフィック信号１１４が有効であるときには、係数生成部３５は、第１の係数値をＭとし、第２の係数値を（１−Ｍ）とする。さらに、モード切替え信号１１０がグラフィックモードを示し、かつ、グラフィック信号１１４が有効でないときには、係数生成部３５は、第１の係数値を１とし、第２の係数値を０とする。
【００５３】
第１の乗算器３６は、サイズ変更部１３から出力された映像信号１１５と、係数生成部３５で生成された第１の係数値とを乗算する。これにより、映像信号１１５は、１倍またはＭ倍される。第２の乗算器３７は、グラフィックデータ処理部１２から出力されたグラフィック信号１１４と、係数生成部３５で生成された第２の係数値とを乗算する。これにより、グラフィック信号１１４は、０倍または（１−Ｍ）倍される。加算器３８は、第１の乗算器３６から出力された信号と第２の乗算器３７から出力された信号とを加算し、その和を表示信号１３６として出力する。表示デバイス５０は、信号合成部３４から出力された表示信号１３６に基づき画面表示を行う。
【００５４】
図７は、表示制御装置３０を用いた場合に表示デバイス５０に表示される画面の構成を示す図である。ただし、図７に示す例では、表示デバイス５０の表示領域のサイズ、映像画面のサイズ、および、グラフィック画面のサイズは、第１の実施形態と同じであるとする（図２を参照）。動作モードが映像モードである場合には、表示制御装置３０は、第１の実施形態に係る表示制御装置１０と同じ動作を行う。したがって、表示デバイス５０には、図７（ａ）に示すように、第１の実施形態と同じ画面（図３（ａ）を参照）が表示される。
【００５５】
動作モードがグラフィックモードである場合には、表示制御装置３０は、サイズ変更された映像信号１１５とグラフィック信号１１４とを所定の割合（Ｍ：（１−Ｍ）または１：０）で合成した結果を表示デバイス５０に出力する。したがって、表示デバイス５０には、図７（ｂ）に示すように、サイズ変更された映像信号１１５に基づく映像画面と、グラフィック信号１１４に基づくグラフィック画面とがＭ：（１−Ｍ）で合成した画面が表示される。ただし、グラフィック信号１１４が有効でなく、かつ、映像信号１１５が有効である部分については、映像信号１１５に基づく映像画面が表示される。
【００５６】
以上に示すように、本実施形態に係る表示制御装置によれば、グラフィックモードでは、サイズ変更された映像信号とグラフィック信号とを所定の割合で合成した結果が、表示信号として出力される。したがって、この表示制御装置によれば、表示デバイスに、映像画面とグラフィック画面とを所定の割合で合成した画面を表示させることができる。よって、この表示制御装置は、第１の実施形態に係る表示制御装置が奏する効果に加えて、２つの画面を合成する際の割合を適宜変化させて、多様な表示を行えるという効果を奏する。
【００５７】
（第４の実施形態）
図８は、本発明の第４の実施形態に係る表示制御装置の構成を示すブロック図である。本実施形態に係る表示制御装置４０は、図８に示すように、復号部１１、グラフィックデータ処理部１２、サイズ変更部１３、および、信号合成部４４を備えている。表示制御装置４０は、第１の実施形態と同様に、例えばパーソナルコンピュータに内蔵された表示制御回路であり、表示デバイス５０とともに表示装置４を構成する。表示制御装置４０は、第３の実施形態に係る表示制御装置３０にバッファ４５を追加した構成を有している。本実施形態の構成要素のうち、第１または第３の実施形態と同一の構成要素については、同一の参照符号を付して、説明を省略する。
【００５８】
表示制御装置４０には、第３の実施形態と同様に、内部バス６１を経由して、映像データ１１１、グラフィックデータ１１２、モード切替え信号１１０、および、重み付け信号１３０が供給される。また、表示制御装置４０には、これらのデータおよび信号に加えて、内部バス６１を経由して、表示位置指定信号１４０が供給される。表示位置指定信号１４０は、表示デバイス５０に表示されるグラフィック画面の位置を指定するために、表示制御装置４０の外部から供給される制御信号である。表示位置指定信号１４０は、例えば、表示デバイス５０の表示領域の左上を原点としたときの、グラフィック画面の左上頂点の位置の形式で指定される。表示位置指定信号１４０は、画面の各フレームごとに供給されることとしてもよい。
【００５９】
信号合成部４４は、図８に示すように、係数生成部３５、第１の乗算器３６、第２の乗算器３７、加算器３８、および、バッファ４５を含んでいる。このうちバッファ４５以外の要素は、第３の実施形態と同じ動作を行う。バッファ４５には、第２の乗算器３７から出力された信号と表示位置指定信号１４０とが入力される。バッファ４５は、第２の乗算器３７から出力された信号を一時的に蓄積し、表示位置指定信号１４０によって定まる所定の時間だけ、第２の乗算器３７から出力された信号を遅延させて出力する。これにより、グラフィック信号１１４の出力タイミングは、グラフィック画面が表示デバイス５０上の指定された位置に表示されるように調整される。加算器３８は、第１の乗算器３６から出力された信号とバッファ４５から出力された信号とを加算し、その和を表示信号１４６として出力する。表示デバイス５０は、信号合成部４４から出力された表示信号１４６に基づき画面表示を行う。
【００６０】
図９は、表示制御装置４０を用いた場合に表示デバイス５０に表示される画面の構成を示す図である。ただし、図９に示す例では、表示デバイス５０の表示領域のサイズ、映像画面のサイズ、および、グラフィック画面のサイズは、第１の実施形態と同じであるとする（図２を参照）。動作モードが映像モードである場合には、表示制御装置４０は、第１の実施形態に係る表示制御装置１０と同じ動作を行う。したがって、表示デバイス５０には、図９（ａ）に示すように、第３の実施形態と同じ画面（図７（ａ）を参照）が表示される。
【００６１】
動作モードがグラフィックモードである場合には、表示制御装置４０は、サイズ変更された映像信号１１５とグラフィック信号１１４とを所定の割合で合成した結果を表示デバイス５０に出力するとともに、グラフィック画面が表示デバイス５０上の指定された位置に表示されるように、グラフィック信号１１４の出力タイミングを調整する。これにより、表示デバイス５０には、例えば図９（ｂ）に示すように、グラフィック画面の表示位置を変化させた状態で、映像画面とグラフィック画面と合成した画面が表示される。図９（ｂ）に示す例では、図７（ｂ）に示す表示画面と比べて、グラフィック画面が表示領域の左側へ１２８画素だけ移動されている。
【００６２】
以上に示すように、本実施形態に係る表示制御装置によれば、グラフィックモードでは、サイズ変更された映像信号とグラフィック信号とを所定の割合で合成した結果が、表示信号として出力され、グラフィック信号の出力タイミングは、グラフィック画面が表示デバイス上の所定の位置に表示されるように調整される。したがって、この表示制御装置によれば、表示位置の指定を適宜切替えて、グラフィック画面を所望の位置に表示させることができる。よって、この表示制御装置は、第３の実施形態に係る表示制御装置が奏する効果に加えて、グラフィック画面を所望の位置に表示させて、多様な表示を行えるという効果を奏する。
【００６３】
なお、以上の説明では、第１の実施形態に係る表示制御装置に信号合成機能を追加することにより、第３の実施形態に係る表示制御装置を構成し、これに表示位置指定機能をさらに追加することにより、第４の実施形態に係る表示制御装置を構成することとした。これに代えて、第１の実施形態に係る表示制御装置に表示位置指定機能を追加してもよい。また、第２の実施形態に係る表示制御装置に、信号合成装置および／または表示位置指定機能を追加することにより、同様に３種類の表示制御装置を構成してもよい。
【００６４】
また、上述した表示制御装置には、映像データとして、７５０Ｐ方式の映像信号をＭＰＥＧ２規格に準拠して圧縮したデータが供給されることとした。これに代えて、表示制御装置には、ＭＰＥＧ２以外の方法で圧縮されたデータ、圧縮されていない映像データ、あるいは、７５０Ｐ方式以外の映像信号を所定の方法で圧縮したデータが供給されることとしてもよい。この場合、供給される映像データの特性に合わせて復号部およびサイズ変更部を構成すれば、上述した表示制御装置と同様の効果を奏する表示制御装置を得ることができる。
【００６５】
また、上述した表示制御装置に含まれる各構成要素（復号部、グラフィックデータ処理部、サイズ変更部、信号切替え部、および、信号合成部）は、ハードウェアで実現してもよく、ソフトウェアで実現してもよく、あるいは、両者を組合わせて実現してもよい。
【図面の簡単な説明】
【図１】本発明の第１の実施形態に係る表示制御装置の構成を示すブロック図である。
【図２】表示領域、映像画面およびグラフィック画面のサイズの一例を示す図である。
【図３】本発明の第１および第２の実施形態に係る表示制御装置を用いた場合に表示デバイスに表示される画面の構成の一例を示す図である。
【図４】本発明の第１の実施形態に係る表示制御装置において、画面サイズの変更処理を行わない場合の画面の構成を示す図である。
【図５】本発明の第２の実施形態に係る表示制御装置の構成を示すブロック図である。
【図６】本発明の第３の実施形態に係る表示制御装置の構成を示すブロック図である。
【図７】本発明の第３の実施形態に係る表示制御装置を用いた場合に表示デバイスに表示される画面の構成の一例を示す図である。
【図８】本発明の第４の実施形態に係る表示制御装置の構成を示すブロック図である。
【図９】本発明の第４の実施形態に係る表示制御装置を用いた場合に表示デバイスに表示される画面の構成の一例を示す図である。
【図１０】従来の表示制御装置の構成を示すブロック図である。
【符号の説明】
１、２、３、４…表示装置
１０、２０、３０、４０…表示制御装置
１１…復号部
１２、２２…グラフィックデータ処理部
１３、２３…サイズ変更部
１４…信号切替え部
１５…画素数変換部
１６…フレーム同期調整部
３４、４４…信号合成部
３５…係数生成部
３６…第１の乗算器
３７…第２の乗算器
３８…加算器
４５…バッファ
５０…表示デバイス
１１０…モード切替え信号
１１１…映像データ
１１２…グラフィックデータ
１１３、１１５、１２５…映像信号
１１４、１２４…グラフィック信号
１１６、１２６、１３６、１４６…表示信号
１１７、１２７…フレーム同期信号
１３０…重み付け信号
１４０…表示位置指定信号
【図１】
2004117870.tif 000003
【図２】
2004117870.tif 000004
【図３】
2004117870.tif 000005
【図４】
2004117870.tif 000006
【図５】
2004117870.tif 000007
【図６】
2004117870.tif 000008
【図７】
2004117870.tif 000009
【図８】
2004117870.tif 000010
【図９】
2004117870.tif 000011
【図１０】
2004117870.tif 000012